(57)【要約】【課題】撮影プレイや編集プレイに複数の使用者が参画する場合においても、操作性や遊戯性をより一層高めた状態で画像プリントの供給ができる画像プリント作成装置を提供する。【解決手段】撮影手段と、編集手段と、プリンタと、上記撮影手段および／または編集手段に対して操作入力を行う入力手段と、音声出力手段と、上記各手段を制御する制御手段とを備え、上記入力手段は、第１入力部１２ａ，２５ａおよび第２入力部１２ｂ，２５ｂと、共通入力部１２ｃ，２５ｃとを含んで構成され、上記音声出力手段１３ａ，１３ｂ，３６ａ，３６ｂは各入力部に対応した状態で複数配置され、上記各入力部の操作に応じた音声は、各入力部に対応する音声出力手段から出力されるとともに、上記共通入力部の操作に応じた音声は、複数の各音声出力手段から出力され、入力操作が音声的に心地よく確認される。【選択図】図１
2004229168.tif 000002
【特許請求の範囲】
【請求項１】
被写体を撮影する撮影手段と、上記撮影手段で撮影された撮影画像に対する編集入力に基づいて撮影画像を編集する編集手段と、上記編集手段で編集された編集画像を画像プリントとして出力するプリンタと、上記撮影手段および／または編集手段に対して操作入力を行う入力手段と、上記入力手段を操作したときの入力操作音等の音声を出力する音声出力手段と、上記各手段を制御する制御手段とを備えた画像プリント作成装置であって、
上記入力手段は、それぞれ単独に操作入力を行いうる第１および第２入力部と、共通の操作入力を行いうる共通入力部とを含んで構成され、上記音声出力手段は第１および第２の入力部のそれぞれに対応した状態で複数配置され、上記第１または第２入力部の操作に応じた音声は、操作された側の入力部に対応する音声出力手段から出力されるとともに、上記共通入力部の操作に応じた音声は、第１および第２入力部に対応する複数の音声出力手段から出力されることを特徴とする画像プリント作成装置。
【請求項２】
上記第１および第２入力部は、上記各手段や制御手段等が設けられた筐体の左右寄りの位置に配置され、上記第１および第２入力手段に対応する音声出力手段は、各入力手段に対応して左右側に配置されている請求項１記載の画像プリント作成装置。
【請求項３】
上記第１および第２入力部の間に上記共通入力部が配置されている請求項１または２記載の画像プリント作成装置。
【請求項４】
上記入力手段は撮影手段に対して操作入力を行うものであり、上記入力手段を構成する第１および第２入力部は、上記撮影手段に対して左右に１つずつ配置され、第１および第２入力部に対応する音声出力手段が上記撮影手段と対をなす撮影空間の左右上部にそれぞれ配置されている請求項１〜３のいずれか一項に記載の画像プリント作成装置。
【請求項５】
上記入力手段は編集入力を受け付ける受付手段において操作入力を受け付ける領域であり、上記入力手段を構成する第１および第２入力部は、左右に１つずつ配置されたタッチペンによって入力を受け付けるものである請求項１〜４のいずれか一項に記載の画像プリント作成装置。
【請求項６】
上記撮影手段に操作入力を行う入力手段に対応して設けられた音声出力手段と、上記編集手段に操作入力を行う入力手段に対応して設けられた音声出力手段とは、同じ筐体に配置されていない請求項１〜５のいずれか一項に記載の画像プリント作成装置。
【請求項７】
１つの上記入力手段に対する音声出力手段が複数設けられ、各音声出力手段は使用者にサラウンド音響効果を付与する位置に配置されている請求項１〜６のいずれか一項に記載の画像プリント作成装置。
【請求項８】
上記撮影手段と対をなす撮影空間および／または上記編集手段と対をなす編集空間を構成する部材に箱状体を取付け、上記箱状体の内部に音声出力手段と照明装置を組みにした状態で収容した請求項１〜７のいずれか一項に記載の画像プリント作成装置。
【請求項９】
被写体を撮影する撮影手段と、上記撮影手段で撮影された撮影画像に対する編集入力に基づいて撮影画像を編集する編集手段と、上記編集手段で編集された編集画像を画像プリントとして出力するプリンタと、上記撮影手段および／または編集手段に対して操作入力を行う入力手段と、上記入力手段を操作したときの入力操作音等の音声を出力する音声出力手段と、上記各手段を制御する制御手段とを備えた画像プリント作成装置の一部に取付けられる照明ユニットであって、上記照明ユニットの外形は画像プリント作成装置の一部に対して着脱可能とされた箱状体で構成され、上記箱状体に照明装置と音声出力手段が配置されていることを特徴とする照明ユニット。
【請求項１０】
上記照明ユニットが上記画像プリント作成装置の左側または右側に取付けることができるように構成されている請求項９記載の照明ユニット。
【請求項１１】
プリンタに使用されるプリント用紙と、上記プリント用紙のプリント供給可能枚数が記録される記憶手段とがセットの状態となり、請求項１〜１０のいずれか一項に記載の画像プリント作成装置に備えられた読取手段で上記記憶手段のプリント供給可能枚数が読み取られてその枚数だけ写真プリントが供給されるように構成されたプリント用紙ユニット。
【請求項１２】
上記プリンタに使用されるプリント用紙を備えたプリント用紙ユニットであって、上記プリント用紙には当該プリント用紙を識別する識別情報が付されており、請求項１〜１０のいずれか一項に記載の画像プリント作成装置に備えられた読取手段で上記識別情報が読み取られることにより写真プリントが供給されるように構成されたプリント用紙ユニット。
【請求項１３】
上記プリンタに使用されるプリント用紙と、上記プリント用紙に画像をプリントするインクリボン等の記録材料がセットの状態となり、上記プリント用紙または記録材料には当該プリント用紙または記録材料を識別する識別情報が付されており、請求項１〜１０のいずれか一項に記載の画像プリント作成装置に備えられた読取手段で上記識別情報が読み取られることにより写真プリントが供給されるように構成されたプリント用紙ユニット。
【発明の詳細な説明】
【０００１】
【発明の属する技術分野】
本発明は、被写体を撮影する撮影プレイと、撮影された撮影画像を編集する編集プレイとを複数の使用者で行うことができる画像プリント作成装置とそれに用いる照明ユニットおよびプリント用紙ユニットに関するものである。
【０００２】
【従来の技術】
近年、ゲームセンター等において、写真を撮影してシールプリント等にする写真自販機が数多く設置されている。このような写真自販機としては、一般に、図１９に示すようなものが用いられている。このものは、内部および前面に各種の装置が設けられた筐体５０と、上記筐体５０の上下から被写体Ｍの背後まで達するように突き出された骨材５１とを備えている。
【０００３】
そして、上記両骨材５１の先端部分に、壁板５２が配置され、必要に応じてその前側に撮影の際の背景となるカーテン５３が吊設され、上記筐体５０，骨材５１，壁板５２で囲まれた空間が、被写体Ｍの撮影領域すなわち撮影用ブース（撮影空間）５４を形成している。上側の骨材５１には、撮影用ブース内の被写体Ｍを照射する２つのライト５５が取付けられている。
【０００４】
上記筐体５０の内部には、被写体Ｍを撮影するカメラ５６が設けられている。上記筐体５０のカメラ５６の被写体Ｍ側に位置する面には、ガラス・プラスティック等の透明板５７が嵌め込まれている。また、上記筐体５０の内部には、上記カメラ５６から画像データを受信して画像合成等の処理を行なうコンピュータ装置５８が設けられている。また、上記筐体５０の被写体Ｍ側には、上記コンピュータ装置５８から送信された合成画像等の画像信号を受信して画像を表示するディスプレイ５９が設けられている。
【０００５】
さらに、上記筐体５０の内部には、コンピュータ装置５８から送信された画像データを受信し、この画像を印刷媒体６０に印刷するプリンタ６１が設けられている。このプリンタ６１で印刷された印刷媒体６０は、筐体５０の前面に形成された送出口６２から送出されるようになっている。
【０００６】
そして、上記筐体５０の前面には操作パネルが設けられ、この操作パネルにコントローラ６３が設けられている。上記コントローラ６３は、タッチペン６４を備え、使用者Ｍが上記タッチペン６４の先端をディスプレイ５９の表面に接触させて文字や図形等を描いて入力しうるようになっており、手書き入力された文字・図形等の画像データやスタンプ画像等が、カメラ５６で撮影された被写体Ｍの撮影画像と合成されてディスプレイ５９に表示され、印刷媒体６０に印刷されるようになっている。
【０００７】
【特許文献１】
特許第３１９６８９７号
【０００８】
【発明が解決しようとする課題】
上述の従来の技術においては、一人の使用者Ｍが利用することが主眼とされている。例えば、撮影画像の種類を選択するための入力手段やタッチペン６４等が一人の使用者Ｍにとって都合のよい形態とされている。ところで、最近は、写真自販機（画像プリント作成装置）の利用者の増加とともに、そのニーズも多様化しているので、これらのニーズに応えることの１つとして、複数の使用者が写真自販機を利用したときに、操作性や遊戯性がより一層高められるように対応しておく必要がある。
【０００９】
本発明は、このような事情に鑑みてなされたもので、撮影プレイや編集プレイに複数の使用者が参画する場合においても、操作性や遊戯性をより一層高めた状態で画像プリントの供給ができる画像プリント作成装置の提供を目的とする。
【００１０】
【課題を解決するための手段】
上記の目的を達成するため、本発明の画像プリント作成装置は、被写体を撮影する撮影手段と、上記撮影手段で撮影された撮影画像に対する編集入力に基づいて撮影画像を編集する編集手段と、上記編集手段で編集された編集画像を画像プリントとして出力するプリンタと、上記撮影手段および／または編集手段に対して操作入力を行う入力手段と、上記入力手段を操作したときの入力操作音等の音声を出力する音声出力手段と、上記各手段を制御する制御手段とを備えた画像プリント作成装置であって、上記入力手段は、それぞれ単独に操作入力を行いうる第１および第２入力部と、共通の操作入力を行いうる共通入力部とを含んで構成され、上記音声出力手段は第１および第２の入力部のそれぞれに対応した状態で複数配置され、上記第１または第２入力部の操作に応じた音声は、操作された側の入力部に対応する音声出力手段から出力されるとともに、上記共通入力部の操作に応じた音声は、第１および第２入力部に対応する複数の音声出力手段から出力されることを要旨とする。
【００１１】
すなわち、上記入力手段は、それぞれ単独に操作入力を行いうる第１および第２入力部と、共通の操作入力を行いうる共通入力部とを含んで構成され、上記音声出力手段は第１および第２の入力部のそれぞれに対応した状態で複数配置され、上記第１または第２入力部の操作に応じた音声は、操作された側の入力部に対応する音声出力手段から出力されるとともに、上記共通入力部の操作に応じた音声は、第１および第２入力部に対応する複数の音声出力手段から出力される。
【００１２】
このため、第１入力部に入力操作をしている使用者には、その入力操作に応じた音声が、第１入力部に対応する音声出力手段から聞こえてくる。また、第２入力部に入力操作をしている他の使用者には、その入力操作に応じた音声が、第２入力部に対応する別の音声出力手段から聞こえてくる。さらに、共通入力部に入力操作をしているときには、複数の使用者に複数の音声出力手段からその入力操作に応じた音声が聞こえてくる。そして、第１入力部，第２入力部は、それぞれ単独に操作入力が行えるので、複数の使用者が第１および第２入力部を同時に操作して入力することができる。
【００１３】
したがって、上記撮影手段や編集手段の各々に対して、複数の使用者が自己の好みに応じた撮影画像や編集画像の選定等のための入力操作を何等の制約を受けることもなく個々に自由に行え、しかも、入力操作のときには、いわゆる操作音が上述のように聞こえてくるので、入力節度感を心地よく感じながら各使用者の思いどおりの撮影や編集が可能となる。上記入力操作音は、入力操作を実行した使用者に確実に伝えられるので、入力したことがその都度本人において確実に確認される。また、他方の使用者に対する他方の音声出力手段からの入力操作音を、隣の使用者が誤って聞き取ることがないので、入力操作の実行が誤認されることがなく、正確な入力操作が遂行される。さらに、複数の使用者に共通する撮影プレイや編集プレイに関する入力を、共通入力部で入力操作をしたときには、複数の音声出力手段から入力操作音が聞こえてくるので、複数の使用者に対して音声の広がり感が豊富なステレオ感覚の音声出力ができて、撮影画像や編集画像の決定等の区切りの段階に相応しい音声感覚を、複数の使用者が満喫できる。
【００１４】
本発明の画像プリント作成装置において、上記第１および第２入力部が、上記各手段や制御手段等が設けられた筐体の左右寄りの位置に配置され、上記第１および第２入力手段に対応する音声出力手段が、各入力手段に対応して左右側に配置されている場合には、上記筐体の右寄りで入力操作をする使用者には、右側の音声出力手段から入力操作音が聞こえてくる。また、上記筐体の左寄りで入力操作をする使用者には、左側の音声出力手段から入力操作音が聞こえてくる。したがって、左右の入力部が同時に操作されていても、各使用者には自己が操作している第１または第２入力部に対応した音声出力手段からの音声が他の音声出力手段からの音声と混同することなく、明確に区別して聞き取ることができ、撮影プレイや編集プレイを正確に、かつ快適に遂行することが可能となる。
【００１５】
本発明の画像プリント作成装置において、上記第１および第２入力部の間に上記共通入力部が配置されている場合には、複数の使用者に共通する撮影プレイや編集プレイに関する入力を、左右の第１および第２入力部の間の位置において入力操作をすることを明確に認識することができ、左右の使用者が正しく共通入力部を操作できる。上記共通入力部が左右の第１および第２入力部を操作している各使用者から手近なところにあるので、簡単に共通入力ができる。また、第１および第２入力部と共通入力部を１箇所に集約することができるので、入力部全体をコンパクトにまとめることができる。
【００１６】
本発明の画像プリント作成装置において、上記入力手段は撮影手段に対して操作入力を行うものであり、上記入力手段を構成する第１および第２入力部は、上記撮影手段に対して左右に１つずつ配置され、第１および第２入力部に対応する音声出力手段が上記撮影手段と対をなす撮影空間の左右上部にそれぞれ配置されている場合には、上記撮影手段の右側で入力操作をする使用者には、撮影空間の右上の音声出力手段から入力操作音が聞こえてくる。また、上記撮影手段の左側で入力操作をする使用者には、撮影空間の左上の音声出力手段から入力操作音が聞こえてくる。したがって、左右それぞれで入力操作をしている各使用者に対して、左右の１つずつの音声出力手段から入力操作音が出力されて、音声混同が回避された確実な入力操作とその確認ができる。
【００１７】
本発明の画像プリント作成装置において、上記入力手段は編集入力を受け付ける受付手段において操作入力を受け付ける領域であり、上記入力手段を構成する第１および第２入力部は、左右に１つずつ配置されたタッチペンによって入力を受け付けるものである場合には、上記領域を例えば編集用ディスプレイで構成して、この編集用ディスプレイの画面範囲内に第１および第２入力部を別画層として配置し、これらの第１および第２入力部を上記タッチペンで入力受け付けを行う。したがって、左右の使用者が各々のタッチペンを操作して編集入力が行われる。この編集入力の際に上記入力操作音が音声出力手段から発せられて、入力操作の確実な確認がなされる。
【００１８】
本発明の画像プリント作成装置において、上記撮影手段に操作入力を行う入力手段に対応して設けられた音声出力手段と、上記編集手段に操作入力を行う入力手段に対応して設けられた音声出力手段とは、同じ筐体に配置されていない場合には、上記両音声出力手段がそれぞれ別々の筐体に配置されるので、一方の音声出力手段から筐体内に響く音声と、他方の音声出力手段から筐体内に響く音声とが１つの筐体内で音響的に干渉することがなく、各音声出力手段からそれぞれ明瞭な音声として筐体外に出力される。したがって、撮影プレイと編集プレイに対する音声出力がはっきりと区別され、各プレイに携わっている使用者は聞き間違うようなことがない。
【００１９】
本発明の画像プリント作成装置において、１つの上記入力手段に対する音声出力手段が複数設けられ、各音声出力手段は使用者にサラウンド音響効果を付与する位置に配置されている場合には、音声は多角的な方向から使用者に聞こえてくるので、使用者は音声を聞き落とすようなことがなく、確実な入力操作の確認ができる。また、サラウンド音響により使用者に対する音声の響きが快適なものとなり、楽しい気分で画像プリント作成装置の利用ができる。
【００２０】
本発明の画像プリント作成装置において、上記撮影手段と対をなす撮影空間および／または上記編集手段と対をなす編集空間を構成する部材に箱状体を取付け、上記箱状体の内部に音声出力手段と照明装置を組みにした状態で収容した場合には、上記箱状体に音声出力手段と照明装置とがユニット化されているので、使用者にとって音声が聞き取りやすく、しかも照明効果が適正にえられる箇所に箱状体を配置することができて、撮影プレイや編集プレイをより好ましい環境のもとで遂行できる。
【００２１】
上記の目的を達成するため、本発明の照明ユニットは、被写体を撮影する撮影手段と、上記撮影手段で撮影された撮影画像に対する編集入力に基づいて撮影画像を編集する編集手段と、上記編集手段で編集された編集画像を画像プリントとして出力するプリンタと、上記撮影手段および／または編集手段に対して操作入力を行う入力手段と、上記入力手段を操作したときの入力操作音等の音声を出力する音声出力手段と、上記各手段を制御する制御手段とを備えた画像プリント作成装置の一部に取付けられる照明ユニットであって、上記照明ユニットの外形は画像プリント作成装置の一部に対して着脱可能とされた箱状体で構成され、上記箱状体に照明装置と音声出力手段が配置されていることを要旨とする。
【００２２】
すなわち、上記照明ユニットの外形は画像プリント作成装置の一部に対して着脱可能とされた箱状体で構成され、上記箱状体に照明装置と音声出力手段が配置されている。したがって、上記箱状体に照明装置と音声出力手段とがユニット化され、また、箱状体は、画像プリント作成装置の一部に対して着脱可能とされているので、使用者にとって音声が聞き取りやすく、しかも照明効果が適正にえられる箇所に箱状体を配置することができて、撮影プレイや編集プレイをより好ましい環境のもとで遂行できる。
【００２３】
本発明の照明ユニットにおいて、上記照明ユニットが上記画像プリント作成装置の左側または右側に左右対称の状態で取付けることができるように構成されている場合には、左右の照明ユニットを１種類のユニットで兼用することができるので、部品の共通化が図られて構造の簡素化や原価低減に有効である。
【００２４】
上記の目的を達成するため、本発明のプリント用紙ユニットは、プリンタに使用されるプリント用紙と、上記プリント用紙のプリント供給可能枚数が記録される記憶手段とがセットの状態となり、請求項１〜１０のいずれか一項に記載の画像プリント作成装置に備えられた読取手段で上記記憶手段のプリント供給可能枚数が読み取られてその枚数だけ写真プリントが供給されるように構成されたことを要旨とする。
【００２５】
したがって、プリント用紙と、プリント供給可能枚数が記録される記憶手段とがセットになっているので、プリント用紙を上記の写真プリント供給装置に装填することにより、読取手段で記憶手段のプリント供給可能枚数を読み取り、良好な背景画像がプリントされた写真プリントが、上記の読取り枚数値に即して供給される。
【００２６】
上記の目的を達成するため、本発明のプリント用紙ユニットは、上記プリンタに使用されるプリント用紙を備えたプリント用紙ユニットであって、上記プリント用紙には当該プリント用紙を識別する識別情報が付されており、請求項１〜１０のいずれか一項に記載の画像プリント作成装置に備えられた読取手段で上記識別情報が読み取られることにより写真プリントが供給されるように構成されたことを要旨とする。
【００２７】
したがって、上記写真プリント供給装置固有の性能やよりすぐれた写真プリントの仕上り品質等にとって最適のプリント用紙であるか否かが、識別情報によって判別することができるので、識別情報の読み取り結果に応じて写真プリント供給装置を動作させないようにすることができ、利用者によりすぐれた品質の写真プリントの提供ができる。また、プリント用紙等の偽造品が流出することを防ぐことができる。
【００２８】
上記の目的を達成するため、本発明のプリント用紙ユニットは、上記プリンタに使用されるプリント用紙と、上記プリント用紙に画像をプリントするインクリボン等の記録材料がセットの状態となり、上記プリント用紙または記録材料には当該プリント用紙または記録材料を識別する識別情報が付されており、請求項１〜１０のいずれか一項に記載の画像プリント作成装置に備えられた読取手段で上記識別情報が読み取られることにより写真プリントが供給されるように構成されたことを要旨とする。
【００２９】
したがって、上記写真プリント供給装置固有の性能やよりすぐれた写真プリントの仕上り品質等にとって最適のプリント用紙または記録材料であるか否かが、識別情報によって判別することができるので、識別情報の読み取り結果に応じて写真プリント供給装置を動作させないようにすることができ、背景画像を含めて利用者によりすぐれた品質の写真プリントの提供ができる。また、プリント用紙等の偽造品が流出することを防ぐことができる。
【００３０】
【発明の実施の形態】
つぎに、本発明の実施の形態を詳しく説明する。
【００３１】
図１〜図８は、本発明の画像プリント作成装置の一実施の形態を示す図である。図１は画像プリント作成装置全体の斜視図、図２は筐体の外面構造を理解しやすくするために透視図的に示した斜視図、図３は画像プリント作成装置の側部を示す側面図であり、これら図１〜図３は骨格部材や壁板部材等の太さや厚さの図示を省略し、単一線で図示してある。
【００３２】
この画像プリント作成装置は、図１，図２および図３に示すように、正面や内部に各種の装置が設けられた筐体１を備え、上記筐体１の正面側すなわち図１および図２の斜め手前側または図３の右側で撮影プレイを行い、筐体１の背面側すなわち図１および図２の斜め奥側または図３の左側で撮影画像の編集プレイを行うようになっている。
【００３３】
上記筐体１の正面側には、被写体２の後方にバックパネル３が配置され、上記筐体１とバックパネル３は、板状の天井部４ａと支持枠材４ｂで連結されており、天井部４ａにはその出入口となる部分にカーテン５ａが吊設されている。そして、上記筐体１，バックパネル３，天井部４ａ，カーテン５ａにより、本発明における撮影領域である撮影空間３１を形成する撮影ボックスが形成されている。このように、本発明における撮影ボックスとは、完全な箱状のものに限らず、壁や天井を幕状のシートで完全および／または不完全に仕切ったものを含む趣旨である。
【００３４】
一方、上記筐体１には、その背面側に突出するように支持枠材４ｃが取り付けられ、その先端部にカーテン５ｂが吊設されている。そして、上記筐体１の背面側とカーテン５ｂとの間に、編集空間３２が形成されている。
【００３５】
上記筐体１の正面には、プレイの対価としての硬貨を投入する硬貨投入口１５が設けられ、この硬貨投入口１５の近傍に設けられた対価受領部としての硬貨検出部（図示していない）が設けられている。そして、上記硬貨検出部が投入された硬貨を検出することにより、撮影プレイが開始され、撮影プレイ後に撮影画像に対して編集プレイを行い、編集された撮影画像がプリントされ提供されるようになっている。３３は、編集用筐体２２に収容されているプリンタであり、図８に示されている。３４は上記プリンタ３３から印刷媒体を取出す送出口である。
【００３６】
上記筐体１の内部には、撮影空間３１内の使用者２を含む被写体２を撮影するカメラ６が撮影手段として設けられ、筐体１の前面は前壁板１０で覆われている。上記前壁板１０の左右には、半透明の乳白板１１が設けられ、上記乳白板１１の背後には、撮影プレイ中において、上記カメラ６による撮影中に被写体２を常時照明する正面蛍光灯１７と、シャッタ操作によって被写体２を撮影するときに発光させる正面ストロボ７とが設けられている。
【００３７】
上記正面蛍光灯１７と正面ストロボ７は、前面照明手段を構成するものであり、正面蛍光灯１７は、撮影画像確認用の常灯照明であり、これに並置された正面ストロボ７は、撮影用のストロボ照明である。そして、撮影時にはストロボ照明が発光し、後述するモニタ２０による撮影画像確認時には常灯照明が照明するようになっている。
【００３８】
上記モニタ２０はカメラ６の下側中央部に配置され、上記モニタ２０の下側に撮影プレイの操作を行う操作パネル１６が設けられている。上記操作パネル１６には、図４に示すように、撮影プレイに必要な各種の選択アイテム、例えば、フレーミング，ズーミング，色合い，明るさ，カメラアングル等を順次上記モニタ２０に表示させて、操作入力の選択入力や切換入力を行う切換ボタン１２ａ，１２ｂが配置され、これらのボタン１２ａ，１２ｂはカメラ６の下側において右側と左側にそれぞれ寄せ付けられた（左右に振り分けられた）配置とされている。これらの切換ボタン１２ａ，１２ｂは、撮影手段に対する入力手段であり、切換ボタン１２ａが第１入力部を構成し、切換ボタン１２ｂが第２入力部を構成している。そして、両入力部１２ａ，１２ｂは、それぞれ単独で操作入力が行えるようになっている。
【００３９】
上記切換ボタン１２ａと１２ｂの間に共通ボタン１２ｃが配置され、このボタン１２ｃが共通入力部を構成している。この共通入力部１２ｃは、上記切換ボタン１２ａ，１２ｂの選択入力や切換入力を決定する決定ボタンと、決定した入力を一旦キャンセルするキャンセルボタン等が設けられている。上記切換ボタン１２ａ，１２ｂは、右側と左側にそれぞれ１組ずつ設けられ、複数の使用者２が各切換ボタン１２ａ，１２ｂを別々に操作して選択入力や切換入力を行いうるようになっている。
【００４０】
上記共通ボタン１２ｃによって実行される操作の代表的なものとしては、撮影画像の決定，カメラ６のシャッタ作動等であり、左右で切換ボタン１２ａ，１２ｂを操作している複数の使用者２にとって共通する操作が対象となる。
【００４１】
上記切換ボタン１２ａ，１２ｂに対応させて音声出力手段１３ａ，１３ｂが設けられている。上記音声出力手段１３ａ，１３ｂはそれぞれスピーカであり、撮影空間３１の左右上部に配置されている。上記スピーカ１３ａ，１３ｂは、それぞれ箱状体１４ａ，１４ｂに収容され、この箱状体１４ａ，１４ｂが天井部４ａの左右に固定してある。スピーカ１３ａ，１３ｂからは、撮影プレイの進め方等を案内する音声が発せられるのであるが、本発明による音声出力手段１３ａ，１３ｂは、加えて切換ボタン１２ａ，１２ｂを押して入力操作をしたときの入力操作音を発するようになっている。例えば、切換ボタン１２ａ，１２ｂを押して撮影画像に合成するフレームの画像等を選択したときに「ピッ」と入力操作音を発し、あるいは同様な操作をして明るさを選択したときに再び「ピッ」と音声を発する。
【００４２】
上記の入力操作音や案内音声は、右側の切換ボタン１２ａを操作している使用者２に対して、右側の音声出力手段１３ａから出力される。また、左側の切換ボタン１２ｂを操作している使用者２に対して、左側の音声出力手段１３ｂから出力される。したがって、入力したことがその都度本人において確実に確認される。また、他方の使用者に対する他方の音声出力手段からの入力操作音を、隣の使用者２が誤って聞き取ることがないので、入力操作の実行が誤認されることがなく、正確な入力操作が遂行される。また、案内音声も聞き取りやすいので、操作の混乱が生じにくい。
【００４３】
また、共通入力部１２ｃを操作したときには、左右両方のスピーカ１３ａ，１３ｂから入力操作音や案内音声が発せられるようになっている。したがって、使用者２全員に共通する入力操作を意味する音声として複数の使用者全員に報知される。
【００４４】
上記の構成により、上記撮影手段に対して、複数の使用者２が自己の好みに応じた撮影画像の選定等のための入力操作を何等の制約を受けることもなく個々に自由に行え、しかも、入力操作のときには、いわゆる操作音が上述のように聞こえてくるので、入力節度感を心地よく感じながら各使用者の思いどおりの撮影が可能となる。上記入力操作音は、入力操作を実行した使用者２に確実に伝えられるので、入力したことがその都度本人において確実に確認される。また、他方の使用者２に対する他方の音声出力手段１３ａまたは１３ｂからの入力操作音を、隣の使用者２が誤って聞き取ることがないので、入力操作の実行が誤認されることがなく、正確な入力操作が遂行される。さらに、複数の使用者２に共通する撮影プレイに関する入力を、共通入力部１２ｃで入力操作をしたときには、複数の音声出力手段１３ａ，１３ｂから入力操作音が聞こえてくるので、複数の使用者２に対して音声の広がり感が豊富なステレオ感覚の音声出力ができて、撮影画像の決定等の区切りの段階に相応しい音声感覚を、複数の使用者２が満喫できる。
【００４５】
複数の使用者２に共通する撮影プレイに関する入力を、左右の切換ボタン１２ａ，１２ｂの間の位置において入力操作をすることを明確に認識することができ、左右の使用者が正しく共通ボタン１２ｃを操作できる。共通ボタン１２ｃが左右の切換ボタン１２ａ，１２ｂを操作している各使用者２から手近なところにあるので、簡単に共通入力ができる。また、切換ボタン１２ａ，１２ｂと共通ボタン１２ｃを１箇所に集約することができるので、入力部全体をコンパクトにまとめることができる。
【００４６】
図４はシステム図、図５は本装置のシステム構成を示すブロック図であり、これらの図にしたがって上述の入力操作とそれに対応した入力操作音等の出力について説明する。
【００４７】
各入力部１２ａ，１２ｂ，１２ｃからの入力信号は、入力制御部１８に送られ、ここで左右どちらの音声出力手段１３ａまたは１３ｂを動作させるかが判定される。ついで、入力操作音等を音声出力手段１３ａまたは１３ｂから出力するときには、音声再生部１９において音声データ部１９ａから入力操作音等の音声データを読み出して、該当する側の音声出力手段１３ａまたは１３ｂに出力信号が送られ、入力操作音等が発せられる。
【００４８】
一方、共通入力部１２ｃに入力操作がなされたときには、入力制御部１８において両方の音声出力手段１３ａ，１３ｂから入力操作音等が出力されるように音声再生部１９が動作される。また、撮影プレイの進め方を音声で案内する場合については、案内音声が音声データ部１９ａから読み出されて、使用者２に案内音声を発するようになっている。上記案内音声の出力の場合も、上述の入力操作音と同様に、左右の使用者に共通の案内は音声出力手段１３ａ，１３ｂの両方から出力し、左または右のいずれかの使用者に必要な案内は音声出力手段１３ａまたは１３ｂから出力される。
【００４９】
なお、図５に示したシステム構成は、入力制御部１８，音声再生部１９，音声データ部１９ａ等が後述のコンピュータ装置２１によって動作するように構成されている。
【００５０】
上述のような音声出力手段１３ａ，１３ｂからの音声出力において、音声出力手段１３ａまたは１３ｂのいずれか一方からの出力形態として、次のような手法がある。すなわち、音声出力手段１３ａまたは１３ｂのどちらか一方から出力する方法は、モノラル音声データのような１チャンネルで構成される音声データを音声出力手段１３ａまたは１３ｂのうち指定した片側の音声出力手段に出力する。また、他の出力形態として、ステレオ音声データのような２チャンネルで構成される音声データの片側のチャンネルの音声データのレベルを人に聞こえない程度のレベルとした音声データを音声出力手段１３ａまたは１３ｂに出力する。さらに、他の出力形態として、通常のステレオ音声データの出力時に、再生しない音声出力手段１３ａまたは１３ｂ側の再生音量を、聞こえない程度に小さく、またはゼロとして出力するのである。
【００５１】
１つの入力部に対して複数の音声出力手段を配置して、使用者にサラウンド音響効果を付与することができる。これは、図４に示すように、第１入力部１２ａに対して上記音声出力手段１３ａとそれに付加された音声出力手段２３ａが配置され、また、第２入力部１２ｂに対して上記音声出力手段１３ｂとそれに付加された音声出力手段２３ｂが配置され、各音声出力手段は使用者２の後方上部からも聞こえるように撮影空間３１に向けて配置されている（図３参照）。
【００５２】
上記のように音声出力手段１３ａ，１３ｂ，２３ａ，２３ｂをサラウンド効果が得られるように配置することにより、音声は多角的な方向から使用者２に聞こえてくるので、使用者は音声を聞き落とすようなことがなく、確実な入力操作の確認ができる。また、サラウンド音響により使用者に対する音声の響きが快適なものとなり、楽しい気分で画像プリント作成装置の利用ができる。
【００５３】
図４に２点鎖線で示すように、カメラ６を、第１入力部１２ａと第２入力部１２ｂに対応させて配置し、各入力部毎に設定された撮影条件で撮影するようにすることもできる。こうすることにより、複数の使用者２独自の撮影画像がえられ、画像プリント作成装置の有用性をさらに高めることができる。
【００５４】
撮影空間３１の略中央部の上には、すなわち天井部４ａの略中央部には照明ボックス２６が取付けられ、その中に上部蛍光灯２７が収容され、その照明光は下方に向かって照射される。また、上記照明ボックス２６の端部には天井ストロボ２４が取付けられている。上部蛍光灯２７は前述の正面蛍光灯１７と同様に被写体２を常時照明し、天井ストロボ２４は前述の正面ストロボ７と同様にシャッタ操作に同期して閃光を発するようになっている。また、バックパネル３は、記憶画像である背景と被写体２の撮影画像との合成が行いやすい色に着色されている。例えば、上記合成がクロマキー合成で行われる場合には、ブルースクリーン等が好適に用いられる。
【００５５】
また、筐体１内には、画像プリント作成装置全体を動作させるコンピュータ装置２１が収容されていて、撮影プレイに必要な撮影画像の設定や後述の編集プレイに必要な撮影画像の読み出し、撮影画像と手書き画像との画像合成等において機能するようになっている。
【００５６】
上記箱状体１４ａ，１４ｂ内には、それぞれスピーカ１３ａ，１３ｂが収容されているが、さらに、照明装置４５ａ，４５ｂが組みになった状態で収容されている。上記箱状体１４ａ，１４ｂに音声出力手段１３ａ，１３ｂと照明装置４５ａ，４５ｂとがユニット化されているので、使用者２にとって音声が聞き取りやすくしかも照明効果が適正にえられる箇所に箱状体１４ａ，１４ｂを配置することができて、撮影プレイや編集プレイをより好ましい環境のもとで遂行できる。
【００５７】
上記箱状体１４ａ，１４ｂの断面形状は図７（Ａ）（Ｂ）（Ｃ）（Ｄ）に示すように、略直角二等辺三角形であり、スピーカ１３ａ，１３ｂの中心や蛍光灯４５ａ，４５ｂの中心が対称線Ｌ上に位置するように配置されている。箱状体１４ａ，１４ｂには、それぞれ２つの取付け面４６ａ，４６ｂが形成され、これら２つの面４６ａ，４６ｂは直交している。また、各取付け面４６ａ，４６ｂには、収容溝４７ａ，４７ｂが箱状体１４ａ，１４ｂの長手方向に形成され、ここにスピーカ１３ａ，１３ｂおよび蛍光灯４５ａ，４５ｂへ通電する電線４８が収容される。また、各取付け面４６ａ，４６ｂには、箱状体１４ａ，１４ｂを天井部４ａに取付けるときに使用されるボルト（図示していない）の貫通穴４９ａ，４９ｂ（４９ｂは図１に示されている）があけられている。なお、４９Ａは箱状体１４ａ，１４ｂの端部にあけた通気口、４９Ｂは蛍光灯４５ａ，４５ｂの照明光を透過する乳白色の透光板である。
【００５８】
図７（Ａ）は箱状体１４ａが天井部４ａの右側（カメラ６の方を向いて右側）に配置されている状態であり、これを９０度反時計方向に回して天井部４ａの左側に移動させると（Ｂ）の状態になる。上記のように箱状体１４ａ，１４ｂの断面形状が直角二等辺三角形であり、また、対象線Ｌ上にスピーカ１３ａ，１３ｂや蛍光灯４５ａ，４５ｂの中心が配置されているので、上記のように９０度の回転だけで左右の互換性がえられる。そして、このような互換をするときに電線４８を各収容溝４７ａ，４７ｂに交互に収容することにより、電線４８の引き回しも簡単に左右切換ができる。したがって、部品の共通化とそれによる原価低減が促進される。
【００５９】
上記の（Ａ）（Ｂ）（Ｃ）（Ｄ）のような考え方を踏襲して、（Ｅ）のような断面形状で左右の互換性を持たせることができる。この断面は四角い断面であり、（Ｅ）の姿勢のまま左右いずれにも取付けられる。そのために、対象線Ｌ上にスピーカ１３ａ，１３ｂや蛍光灯４５ａ，４５ｂの中心が配置され、電線４８を収容する切り欠き４７ａ，４７ｂが左右対称の箇所に形成されている。この（Ｅ）の場合においても、上記のものと同様の効果がえられる。
【００６０】
上記実施の形態においては、主として撮影プレイに関して説明し、具体的には入力手段としての切換ボタン１２ａ，１２ｂや共通ボタン１２ｃと、それらに対応する音声出力手段１３ａ，１３ｂや２３ａ，２３ｂ等について詳しく説明をした。しかし、本発明においては、撮影プレイに関する入力や音声出力だけではなく、編集プレイに関しても同様な入力や音声出力がなされる。
【００６１】
図８（Ａ）は、編集空間３２に配置されている編集用筐体２２とそれに装備されている編集用の各種機器類を示す斜視図、また、同図（Ｂ）は（Ａ）に示された後述のディスプレイ２５の表示画面を詳しく示した平面図である。
【００６２】
編集用筐体２２の上部には傾斜した操作パネル２２ａが形成され、液晶式のディスプレイ２５が操作パネル２２ａの略中央部に配置してある。上記ディスプレイ２５の左右両側には操作入力を受け付ける領域２５ａ，２５ｂがそれ固有の画層として配置されている。上記領域２５ａ，２５ｂが入力手段を構成するものであり、それぞれ単独に操作入力が行える第１入力部２５ａと第２入力部２５ｂとされている。これらの入力部２５ａ，２５ｂに対する入力操作はタッチペン２８ａ，２８ｂによって行われる。上記タッチペン２８ａ，２８ｂはディスプレイ２５の左右に配置され、各タッチペン２８ａ，２８ｂを複数の使用者２が操作するようになっている。このため、上記領域２５ａ，２５ｂは、右側と左側にそれぞれ１組ずつ設けられ、複数の使用者２が各領域２５ａ，２５ｂを別々に操作して選択入力や切換入力を行いうるようになっている。
【００６３】
上記領域２５ａ，２５ｂにはそれぞれ「ペン」「スタンプ」「サイズ」「消しゴム」「おわる」等の項目が、また、図示していないものとしては「落書き色」「背景色」等の項目が用意されており、左右の使用者２が個々にこれらの表示項目を選択できるようになっていて、使用者２はめいめい自己の好みの落書きやスタンピングを独立して行う。
【００６４】
上記領域２５ａ，２５ｂの間に共通領域２５ｃが配置され、この共通領域２５ｃが共通入力部２５ｃを構成している。この共通入力部２５ｃは、そこに表示された所定の項目をタッチペン２８ａ，２８ｂで触れることにより、上記領域２５ａ，２５ｂに表示された項目の選択入力や切換入力を決定する決定入力と、決定した入力を一旦キャンセルするキャンセル入力等がなされる。その代表的な共通入力は、図示のように、撮影画像をサムネイル表示の形態で表示されたものから各使用者が編集対象とする好みの編集画像を選択し、選択された各撮影画像がディスプレイ２５の左右にそれぞれ表示される。左右の使用者２は、左右それぞれの撮影画像に対して「ペン」「スタンプ」「サイズ」「消しゴム」等を入力して、編集プレイが進行する。
【００６５】
左右の使用者２がそれぞれ編集プレイを同時または相前後して完了すると、使用者２はそれぞれの領域２５ａ，２５ｂに表示されている「おわる」をタッチペン２８ａ，２８ｂで指定すると、編集プレイが完了するのと同時にプリンタ３３が動作して、画像プリントが送出口３４にでてくる。なお、上記の「おわる」は、第１入力部２５ａと第２入力部２５ｂにそれぞれ配置されているが、これを共通入力部２５ｃの方へ移設し、共通入力部２５ｃとして機能させることもできる。
【００６６】
上記領域２５ａ，２５ｂに対応させて音声出力手段３６ａ，３６ｂが設けられている。上記音声出力手段３６ａ，３６ｂはそれぞれスピーカであり、編集空間３２の左右上部に配置されている。上記スピーカ３６ａ，３６ｂは、それぞれ筐体１に収容されている。スピーカ３６ａ，３６ｂからは、編集プレイの進め方等を案内する音声が発せられるのであるが、本発明による音声出力手段３６ａ，３６ｂは、加えてタッチペン２８ａ，２８ｂで領域２５ａ，２５ｂに対して入力操作をしたときの入力操作音を発するようになっている。例えば、タッチペン２８ａ，２８ｂを操作して「落書き色」を選択したときに「ピッ」と入力操作音を発し、あるいは同様な操作をして「スタンプ」選択したときに再び「ピッ」と音声を発する。
【００６７】
上記の入力操作音や案内音声は、右側の領域２５ａで編集入力を受付けているときには、領域２５ａ側のタッチペン２８ａを操作している使用者２に対して、右側の音声出力手段３６ａから出力される。また、左側の領域２５ｂで編集入力を受付けているときには、領域２５ｂ側のタッチペン２８ｂを操作している使用者２に対して、左側の音声出力手段３６ｂから出力される。したがって、入力したことがその都度本人において確実に確認される。また、他方の使用者に対する他方の音声出力手段からの入力操作音を、隣の使用者２が誤って聞き取ることがないので、入力操作の実行が誤認されることがなく、正確な入力操作が遂行される。また、案内音声も聞き取りやすく、操作の混乱が生じにくい。
【００６８】
また、共通入力部２５ｃを操作したときには、左右両方のスピーカ３６ａ，３６ｂから入力操作音や案内音声が発せられるようになっている。したがって、使用者２全員に共通する入力操作を意味する音声として複数の使用者全員に報知される。
【００６９】
上記の構成により、上記編集手段に対して、複数の使用者２が自己の好みに応じた編集画像の選定等のための入力操作を何等の制約を受けることもなく個々に自由に行え、しかも、入力操作のときには、いわゆる操作音が上述のように聞こえてくるので、入力節度感を心地よく感じながら各使用者の思いどおりの編集が可能となる。上記入力操作音は、入力操作を実行した使用者２に確実に伝えられるので、入力したことがその都度本人において確実に確認される。また、他方の使用者２に対する他方の音声出力手段３６ａまたは３６ｂからの入力操作音を、隣の使用者２が誤って聞き取ることがないので、入力操作の実行が誤認されることがなく、正確な入力操作が遂行される。さらに、複数の使用者２に共通する編集プレイに関する入力を、共通入力部２５ｃで入力操作をしたときには、複数の音声出力手段３６ａ，３６ｂから入力操作音が聞こえてくるので、複数の使用者２に対して音声の広がり感が豊富なステレオ感覚の音声出力ができて、編集画像の決定等の区切りの段階に相応しい音声感覚を、複数の使用者２が満喫できる。
【００７０】
複数の使用者２に共通する編集プレイに関する入力を、左右の領域２５ａ，２５ｂの間の位置において入力操作をすることを明確に認識することができ、左右の使用者が正しく共通領域２５ｃを操作できる。共通領域２５ｃが左右の領域２５ａ，２５ｂを操作している各使用者２から手近なところにあるので、簡単に共通入力ができる。また、領域２５ａ，２５ｂと共通領域２５ｃを１つのディスプレイ２５に集約することができるので、編集入力部全体をコンパクトにまとめることができる。
【００７１】
上述のような編集プレイに関する入力操作や音声の出力については、撮影プレイにおける動作システムと同じ制御のもとに実行される。したがって、図４に示したシステム図、図５に示した本装置のシステム構成のブロック図と同様の動作が、編集プレイについてもなされる。なお、図４において切換ボタン１２ａ，１２ｂ，共通ボタン１２ｃは、それぞれ領域２５ａ，２５ｂ，共通領域２５ｃに置換えられるものである。
【００７２】
上記撮影手段に操作入力を行う入力手段に対応して設けられた音声出力手段１３ａ，１３ｂと、上記編集手段に操作入力を行う入力手段に対応して設けられた音声出力手段３６ａ，３６ｂとは、同じ筐体に配置されていない構成とされている。ここでは、音声出力手段１３ａ，１３ｂを収容する筐体としては、箱状体１４ａ，１４ｂが筐体に相当している。
【００７３】
上記両音声出力手段１３ａ，１３ｂと３６ａ，３６ｂがそれぞれ別々の筐体１と１４ａ，１４ｂに分離して配置されるので、一方の音声出力手段１３ａ，１３ｂから筐体内に響く音声と、他方の音声出力手段３６ａ，３６ｂから筐体内に響く音声とが１つの筐体内で音響的に干渉することがなく、各音声出力手段１３ａ，１３ｂと３６ａ，３６ｂからそれぞれ明瞭な音声として筐体外に出力される。したがって、撮影プレイと編集プレイに対する音声が同時に再生された場合であっても、はっきりと区別され、各プレイに携わっている使用者は聞き間違うようなことがない。
【００７４】
図１〜図３に示すように、編集空間３２の左右上部に箱状体１４ａ，１４ｂが取付けられ、その中に、図示されていないが、スピーカ１３ａ，１３ｂが配置されている。スピーカ１３ａ，１３ｂは上記の左右のスピーカ３６ａ，３６ｂとの組合わせで、左右の使用者２に対してそれぞれサラウンド音響効果を付与するように各スピーカが配置してある。したがって、音声は多角的な方向から使用者に聞こえてくるので、使用者２は音声を聞き落とすようなことがなく、確実な入力操作の確認ができる。また、サラウンド音響により使用者２に対する音声の響きが快適なものとなり、楽しい気分で画像プリント作成装置の利用ができる。
【００７５】
本発明においては、第１入力部，第２入力部，共通入力部がそれぞれ撮影プレイおよび編集プレイに配置されており、撮影プレイ側は切換ボタン方式、編集プレイ側はディスプレイに入力の受け付け領域を配置した形式としている。このような形式の各入力部を液晶画面を指でタッチする指入力方式にして、同様な入力機能をえることも可能である。
【００７６】
図９〜図１５は、本発明の第２の実施の形態であり、画像プリント作成装置にの一部に取付けられる音声出力照明ユニットである。
【００７７】
この実施の形態は音声出力照明ユニット自体に特徴をもたせたものであり、このユニットが取付けられる側の画像プリント作成装置あるいは写真自動販売機は、図９〜図１２に示された構成のものである。そして、ここでは図９〜図１２に示されている構成は、図１〜図５に示された構成と同一なので、図９〜図１２には同じ符号を付してある。
【００７８】
この音声出力照明ユニットは、被写体を撮影する撮影手段と、上記撮影手段で撮影された撮影画像を編集する編集手段と、上記編集手段で編集された編集画像を画像プリントとして出力するプリント手段と、音声出力手段と、上記各手段を動作させる制御手段とを備えた画像プリント作成装置の一部に取付けられる音声出力照明ユニットであって、筐体に収容された照明手段とこの照明手段からの照明光を透過させ上記筐体の一部に取付けられた透光板を備え、上記透光板が音声出力機能を有していることを要旨としている。
【００７９】
また、上記筐体が着脱可能な箱状体であること、上記透光板が半透明である
こと、上記透光板が乳白色であること等をそれぞれ上記要旨に付加することができる。
【００８０】
図１３〜図１５において、筐体である箱状体３５ａ，３５ｂは断面形状が直角二等辺三角形をした長尺な箱体であり、その内部に照明手段である蛍光灯３５ｃが配置してある。箱状体３５ａ，３５ｂの斜め下を向いた面３５ｄに開口３５ｅを設け、この開口３５ｅを塞ぐような状態でフラットパネルスピーカ３５ｆが取付けてある。
【００８１】
上記フラットパネルスピーカ３５ｆは、透明あるいは半透明のアクリルパネル３５ｇを振動板とするもので、振動板を駆動するためにアクリルパネル３５ｇの左右両側にマグネットやボイスコイルから構成されたエキサイター（駆動部）３５ｈが配置されている。上記アクリルパネル３５ｇは、図１２に示した音声再生部１９からの音声駆動信号がエキサイター（駆動部）３５ｈに入力されることにより、アクリルパネル３５ｇが振動して音声出力がなされる。また、半透明のアクリルパネル３５ｇを照明に適した乳白色にすることができる。
【００８２】
上記の構成により、音声出力手段がパネル状の部品で構成されるので、音声出力照明ユニットがきわめてコンパクトにまとまる。また、音声出力が大きな面積を有するパネル状の部材からなされるので、音声の広がりが拡大されるとともにソフトな音感がえられて、使用者２はくつろいだ気分で画像プリント作成装置等の利用ができる。さらに、パネル状の部材は透光性があるので、蛍光灯からの照明光を所定の箇所に向けて照射することができ、また、半透明や乳白色のパネル状部材を採用することにより照明範囲が大きくされた、すぐれた照明機能が果たされる。
【００８３】
図１６〜図１８は、本発明のプリント用紙ユニットの実施の形態を示す。以下に説明する各プリント用紙ユニットは、上述の画像プリント作成装置に供給され、プリンタ３３で用いられて画像プリントを生成するためのプリント用紙ユニットである。
【００８４】
図１６に示すプリント用紙ユニットは、ＩＣチップやＩＣカード等の記憶手段４２と、画像プリント作成装置のプリンタ３３で使用されるプリント用紙４０とがセットとして画像プリント作成装置に供給されるものである。この例では、上記プリント用紙４０としてロール状のものを示している。上記記憶手段４２には、この記憶手段４２とセット供給されるプリント用紙４０における、供給対象である装置で印刷出力可能な画像プリントの枚数すなわちプリント供給可能枚数が記録されている。一方、画像プリント作成装置には、上記記憶手段４２に記憶された情報を読み取る読取手段４１が設けられている。
【００８５】
そして、上記プリント用紙ユニットを画像プリント作成装置に使用する場合には、記憶手段４２を読取手段４１にセットするとともに、プリント用紙４０をプリンタ３３に装填する。そして、上記読取手段４１で記憶手段４２のプリント供給可能枚数が読み取られ、プリンタ３３ではセットで供給されたプリント用紙４０に印刷が行われて画像プリントの供給が行われるのであるが、このとき、上記読取手段４１でセット供給された記憶手段４２から読み取られたプリント供給可能枚数だけ印刷を行って画像プリントを供給し、その後は次の記憶手段４２とプリント用紙４０が供給されるまではプリントの供給を停止するようになっている。
【００８６】
上述のような動作を実現するためのシステム構成としては、図示していないが、読取手段４１からの読取データを、上記コンピュータ装置２１に設けた出力枚数制限部に供給し、出力枚数制限部では読み取られたプリント供給可能枚数だけ画像プリントを印刷すると、その後は次の記憶手段４２が供給されるまでプリントの出力を制限することにより行われる。なお、プリント供給可能枚数の残り枚数が所定枚数に達したら、つぎのプリント用紙を準備するようアラームを発することも可能である。こうすることにより、顧客を待たせることなく回転率の高い画像プリント作成装置の運営ができる。上記読取手段４１がプリンタ３３の内部に備わる場合は、プリンタ内部で検出された情報を上記コンピュータ装置２１に送信し制御し、プリンタ外部に備わる場合には、コンピュータ装置２１で読み取られ制御される。
【００８７】
図１７に示すプリント用紙ユニットは、ＩＣチップやＩＣカード等の記憶手段４２を備えておらず、画像プリント作成装置のプリンタ３３で使用されるプリント用紙４０が画像プリント作成装置に供給されるものである。この例では、上記プリント用紙４０としてロール状のものを示している。上記プリント用紙４０には、当該プリント用紙４０の真偽を識別する識別情報がバーコード等により付されている（図示せず）。そして、画像プリント作成装置には、プリンタ３３に装填されたプリント用紙４０の識別情報を読み取る読取手段４１が設けられている。
【００８８】
そして、上記プリント用紙ユニットを画像プリント作成装置に使用する場合には、プリント用紙４０をプリンタ３３に装填する。そして、上記読取手段４１でプリント用紙４０の識別情報が読み取られ、その識別情報を、上記コンピュータ装置２１に設けた判定手段に供給し、判定手段では読み取られた識別情報が正しい場合にだけ写真プリントを印刷し、真正なものでない場合にはプリントの出力を行わないようになっている。
【００８９】
したがって、上記画像プリント作成装置固有の性能やよりすぐれた画像プリントの仕上り品質等にとって最適のプリント用紙であるか否かが、識別情報によって判別することができるので、識別情報の読み取り結果に応じて画像プリント作成装置を動作させないようにすることができ、利用者によりすぐれた品質の画像プリントの提供ができる。また、プリント用紙等の偽造品が市場に流出することを防ぐことができる。それ以外は、上記実施の形態と同様の作用効果を奏する。
【００９０】
図１８に示すプリント用紙ユニットは、画像プリント作成装置のプリンタ３３で使用されるプリント用紙４０と、上記プリント用紙４０に画像をプリントするインクリボン等の記録材料４３がセットの状態となって画像プリント作成装置に供給されるものである。この例では、上記プリント用紙４０としてロール状のものを示している。図において４４は印刷ヘッドである。上記記録材料４３には、当該記録材料４３の真偽を識別する識別情報がバーコード等により付されている（図示せず）。そして、画像プリント作成装置には、プリンタ３３に装填された記録材料４３の識別情報を読み取る読取手段４１が設けられている。
【００９１】
そして、上記プリント用紙ユニットを画像プリント作成装置に使用する場合には、プリント用紙４０および記録材料４３をプリンタ３３に装填する。そして、上記読取手段４１で記録材料４３の識別情報が読み取られ、その識別情報を、上記コンピュータ装置２１に設けた判定手段に供給し、判定手段では読み取られた識別情報が正しい場合にだけ画像プリントを印刷し、真正なものでない場合にはプリントの出力を行わないようになっている。
【００９２】
この例において、バーコード等の識別情報を記録材料４３ではなくプリント用紙４０に付し、読取手段４１は、プリンタ３３に装填されたプリント用紙４０の識別情報を読み取るようにしてもよい。また、図示した例は、プリンタ３３が、記録材料４３としてインクリボンを使用する昇華型プリンタ等の例であるが、記録材料４３としてカートリッジ式のインクを使用したインクジェット方式等のプリンタに適用することもできる。
【００９３】
したがって、上記画像プリント作成装置固有の性能やよりすぐれた画像プリントの仕上り品質等にとって最適のプリント用紙４０であるか否かが、識別情報によって判別することができるので、識別情報の読み取り結果に応じて画像プリント作成装置を動作させないようにすることができ、利用者によりすぐれた品質の画像プリントの提供ができる。また、プリント用紙等の偽造品が市場に流出することを防ぐことができる。それ以外は、上記実施の形態と同様の作用効果を奏する。
【００９４】
本発明においては、音声出力手段１３ａ，１３ｂから出力される操作音声，案内音声には、撮影または編集入力時に操作手段で選択された画像に対応した音声や、編集入力操作時のペンやスタンプなどの画像を入力する際の擬態的な音声，演出する音声等も含まれている。
【００９５】
また、図８（Ｂ）に示されているものは、撮影画像を２枚表示してそれぞれに対応するタッチペン２８ａまたは２８ｂで編集画像を入力する場合であるが、撮影画像を１枚だけ表示してタッチペン２８ａまたは２８ｂで入力するようにしてもよい。この場合には、撮影画像が表示され編集画像を入力する領域を共通入力部とすることができる。
【００９６】
さらに、図８（Ｂ）では、表示される領域ごとに第１入力部２５ａ，第２入力部２５ｂ，共通入力部２５ｃとしているが、特にこれらに限定されるものではなく、左のタッチペン２８ｂでの操作可能な操作に対応した音声を音声出力手段３６ｂから出力し、右のタッチペン２８ａでの操作可能な操作に対応した音声を音声出力手段３６ａから出力し、いずれのタッチペン２８ａ，２８ｂでも操作可能な操作に対応した音声を音声出力手段３６ａおよび３６ｂから出力するものを包含している。例えば、一方のタッチペンで星柄のスタンプを入力したときに星をイメージする音声を出力し、他方のタッチペンでハート柄のスタンプを入力したときにハートをイメージする音声を出力し、撮影画像の切り替え等の切換え操作は、どちらのタッチペンでも操作可能なので共通音声として出力する。星がきらめく音声や高鳴るハートの音声が、同時に聞こえ編集入力が楽しくなる。
【００９７】
【発明の効果】
以上のように、本発明の画像プリント作成装置によれば、上記撮影手段や編集手段の各々に対して、複数の使用者が自己の好みに応じた撮影画像や編集画像の選定等のための入力操作を何等の制約を受けることもなく個々に自由に行え、しかも、入力操作のときには、いわゆる操作音が上述のように聞こえてくるので、入力節度感を心地よく感じながら各使用者の思いどおりの撮影や編集が可能となる。上記入力操作音は、入力操作を実行した使用者に確実に伝えられるので、入力したことがその都度本人において確実に確認される。また、他方の使用者に対する他方の音声出力手段からの入力操作音を、隣の使用者が誤って聞き取ることがないので、入力操作の実行が誤認されることがなく、正確な入力操作が遂行される。さらに、複数の使用者に共通する撮影プレイや編集プレイに関する入力を、共通入力部で入力操作をしたときには、複数の音声出力手段から入力操作音が聞こえてくるので、複数の使用者に対して音声の広がり感が豊富なステレオ感覚の音声出力ができて、撮影画像や編集画像の決定等の区切りの段階に相応しい音声感覚を、複数の使用者が満喫できる。
【００９８】
また、本発明の照明ユニットによれば、上記箱状体に照明装置と音声出力手段とがユニット化され、また、箱状体は、画像プリント作成装置の一部に対して着脱可能とされているので、使用者にとって音声が聞き取りやすくしかも照明効果の適正な箇所に箱状体を配置することができて、撮影プレイや編集プレイをより好ましい環境のもとで遂行できる。
【００９９】
さらに、本発明のプリント用紙ユニットによれば、プリント用紙と、プリント供給可能枚数が記録される記憶手段とがセットになっているので、プリント用紙を上記の画像プリント作成装置に装填することにより、読取手段で記憶手段のプリント供給可能枚数を読み取り、プリントされた画像プリントが、上記の読取り枚数値に即して供給される。また、上記画像プリント作成装置固有の性能やよりすぐれた画像プリントの仕上り品質等にとって最適のプリント用紙であるか否かが、識別情報によって判別することができるので、識別情報の読み取り結果に応じて画像プリント作成装置を動作させないようにすることができ、利用者によりすぐれた品質の画像プリントの提供ができる。
【０１００】
上記画像プリント作成装置固有の性能やよりすぐれた画像プリントの仕上り品質等にとって最適のプリント用紙または記録材料であるか否かが、識別情報によって判別することができるので、識別情報の読み取り結果に応じて画像プリント作成装置を動作させないようにすることができ、利用者によりすぐれた品質の画像プリントの提供ができる。また、プリント用紙等の偽造品が市場に流出することを防ぐことができる。
【図面の簡単な説明】
【図１】本発明の画像プリント作成装置の一実施の形態を示す斜視図である。
【図２】図１の斜視図からある部品を除去して示した斜視図である。
【図３】画像プリント作成装置の側面図である。
【図４】本発明の画像プリント作成装置のシステム図である。
【図５】本発明の画像プリント作成装置のシステム構成を示すブロック図である。
【図６】照明ユニット全体の斜視図である。
【図７】上記照明ユニットの各部の断面図である。
【図８】（Ａ）は編集用筐体を主として示す斜視図、（Ｂ）はディスプレイの拡大図である。
【図９】画像プリント作成装置の他の実施の形態を示す斜視図である。
【図１０】図９の斜視図からある部品を除去して示した斜視図である。
【図１１】本発明の他の実施の形態における画像プリント作成装置のシステム図である。
【図１２】本発明の他の実施の形態における画像プリント作成装置のシステム構成を示すブロック図である。
【図１３】上記他の実施の形態における音声出力照明ユニットの斜視図である。
【図１４】上記音声出力照明ユニットの断面図である。
【図１５】図１４の〔Ａ〕−〔Ａ〕断面図である。
【図１６】本発明のプリント用紙ユニットの第１の実施の形態を示す簡略的な側面図である。
【図１７】本発明のプリント用紙ユニットの第２の実施の形態を示す簡略的な側面図である。
【図１８】本発明のプリント用紙ユニットの第３の実施の形態を示す簡略的な側面図である。
【図１９】本発明に関する従来技術を示す断面図である。
【符号の説明】
１    筐体
２    被写体，使用者
３    バックパネル
４ａ  天井部
４ｂ  支持枠材
４ｃ  支持枠材
５ａ  カーテン
５ｂ  カーテン
６    カメラ
７    正面ストロボ
１０    前壁板
１１    乳白板
１２ａ  切換ボタン，第１入力部
１２ｂ  切換ボタン，第２入力部
１２ｃ  共通ボタン，共通入力部
１３ａ  スピーカ，音声出力手段
１３ｂ  スピーカ，音声出力手段
１４ａ  箱状体
１４ｂ  箱状体
１５    硬貨投入口
１６    操作パネル
１７    正面蛍光灯
１８    入力制御部
１９    音声再生部
１９ａ  音声データ部
２０    モニタ
２１    コンピュータ装置
２２    編集用筐体
２２ａ  操作パネル
２３ａ  音声出力手段
２３ｂ  音声出力手段
２４    天井ストロボ
２５    ディスプレイ
２５ａ  領域，第１入力部
２５ｂ  領域，第２入力部
２５ｃ  共通領域，共通入力部
２６    照明ボックス
２７    上部蛍光灯
２８ａ  タッチペン
２８ｂ  タッチペン
３１    撮影空間
３２    編集空間
３３    プリンタ
３４    送出口
３５ａ  箱状体
３５ｂ  箱状体
３５ｃ  蛍光灯，照明手段
３５ｄ  面
３５ｅ  開口
３５ｆ  フラットパネルスピーカ
３５ｇ  アクリルパネル
３５ｈ  エキサイター（駆動部）
３６ａ  音声出力手段，スピーカ
３６ｂ  音声出力手段，スピーカ
４０    プリント用紙
４１    読取手段
４２    記憶手段
４３    インクリボン，記録材料
４４    印刷ヘッド
４５ａ  照明装置，蛍光灯
４５ｂ  照明装置，蛍光灯
４６ａ  取付け面
４６ｂ  取付け面
４７ａ  収容溝，切り欠き
４７ｂ  収容溝，切り欠き
４８    電線
４９ａ  貫通穴
４９ｂ  貫通穴
４９Ａ  通気口
４９Ｂ  透光板
Ｌ      対称線
Ｍ      被写体
５０    筐体
５１    骨材
５２    壁板
５３    カーテン
５４    撮影用ブース
５５    ライト
５６    カメラ
５７    透明板
５８    コンピュータ装置
５９    ディスプレイ
６０    印刷媒体
６１    プリンタ
６２    送出口
６３    コントローラ
６４    タッチペン
【図１】
2004229168.tif 000003
【図２】
2004229168.tif 000004
【図３】
2004229168.tif 000005
【図４】
2004229168.tif 000006
【図５】
2004229168.tif 000007
【図６】
2004229168.tif 000008
【図７】
2004229168.tif 000009
【図８】
2004229168.tif 000010
【図９】
2004229168.tif 000011
【図１０】
2004229168.tif 000012
【図１１】
2004229168.tif 000013
【図１２】
2004229168.tif 000014
【図１３】
2004229168.tif 000015
【図１４】
2004229168.tif 000016
【図１５】
2004229168.tif 000017
【図１６】
2004229168.tif 000018
【図１７】
2004229168.tif 000019
【図１８】
2004229168.tif 000020
【図１９】
2004229168.tif 000021